(57)【要約】  流体フィルタのためのシールグロメットが提供される。シールグロメットは、開口を画定する中央部分と、中央部分と一体に形成されるフランジ部分であって、中央部分の外側周縁から外向きに延出し、第１の方向にフランジ部分から離れる方向に中央部分の第１の部分が延出し、第２の方向にフランジ部分から離れる方向に中央部分の第２の部分が延出し、第１の方向は第２の方向と反対である、フランジ部分と、第１の部分上に配置される、開口を画定する中央部分の内側表面上に配置された第１の突起部とを含む。【選択図】図２
2012512744.tif 000002
【特許請求の範囲】
【請求項１】
開口を画定する中央部分と、
前記中央部分と一体に形成されるフランジ部分であって、前記中央部分の外側周縁から外向きに延出し、第１の方向に前記フランジ部分から離れる方向に前記中央部分の第１の部分が延出し、第２の方向に前記フランジ部分から離れる方向に前記中央部分の第２の部分が延出し、前記第１の方向は前記第２の方向と反対である、フランジ部分と、
前記第１の部分上に配置される、前記開口を画定する前記中央部分の内側表面上に配置された第１の突起部と
を備える流体フィルタのためのシールグロメット。
【請求項２】
請求項１に記載のシールグロメットにおいて、前記中央部分、前記フランジ部分及び前記第１の突起部が同じ材料からそれぞれ形成され、前記同じ材料はエラストマ−ゴムである、シールグロメット。
【請求項３】
請求項１に記載のシールグロメットにおいて、前記中央部分、前記フランジ部分及び前記第１の突起部が同じ材料からそれぞれ形成され、前記同じ材料はニトリルゴムである、シールグロメット。
【請求項４】
請求項１に記載のシールグロメットにおいて、前記第２の部分上に配置され、前記開口を画定する前記中央部分の前記内側表面上に配置される第２の突起部を更に備えるシールグロメット。
【請求項５】
請求項４に記載のシールグロメットにおいて、前記中央部分、前記フランジ部分、前記第１の突起部及び前記第２の突起部が同じ材料からそれぞれ形成され、前記同じ材料はエラストマ−ゴムである、シールグロメット。
【請求項６】
請求項４に記載のシールグロメットにおいて、前記中央部分、前記フランジ部分、前記第１の突起部及び前記第２の突起部が同じ材料からそれぞれ形成され、前記同じ材料はニトリルゴムである、シールグロメット。
【請求項７】
請求項１に記載のシールグロメットにおいて、前記フランジ部分が前記フランジ部分の遠位端部で外向きに湾曲する、シールグロメット。
【請求項８】
請求項１に記載のシールグロメットにおいて、前記中央部分が円筒である、シールグロメット。
【請求項９】
ハウジングと、
前記ハウジング内に配置されるフィルタ要素であって、前記フィルタ要素は流体をろ過するために構成され、第１の端部支持部及び第２の端部支持部を有し、前記第１の端部支持部は前記フィルタ要素の上端部分に固定される、フィルタ要素と、
流体が通過して流れるための複数の流体路を提供するために複数の開口部を有するタッピングプレートと、
開口を画定する中央部分と、前記中央部分と一体に形成されるフランジ部分であって、前記中央部分の外側周縁から外向きに延出し、第１の方向に前記フランジ部分から離れる方向に前記中央部分の第１の部分が延出し、第２の方向に前記フランジ部分から離れる方向に前記中央部分の第２の部分が延出し、前記第１の方向は前記第２の方向と反対である、フランジ部分とを含む、前記タッピングプレートと前記第１の端部支持部との間に配置されるシールグロメットと、
前記第１の部分上に配置される、前記開口を画定する前記中央部分の内側表面上に配置された第１の突起部と
を備える、フィルタ取付け部が延出する前記オイル循環システムのためのフィルタ組立体。
【請求項１０】
請求項９に記載のフィルタ組立体において、前記シールグロメットが前記タッピングプレートと前記第１の端部支持部との間に配置される場合、前記中央部分の前記第１の部分が前記タッピングプレートの内側表面部分と前記フィルタ取付け部の外側表面部分との間に配置され、前記タッピングプレートの前記内側表面部分と前記フィルタ取付け部の前記外側表面部分との間に形成される間隙の少なくとも一部分が前記中央部分の前記第１の部分を受容する、フィルタ組立体。
【請求項１１】
請求項９に記載のフィルタ組立体において、前記シールグロメットが前記タッピングプレートと前記第１の端部支持部との間に配置される場合、前記中央部分の前記第２の部分が前記フィルタ要素の内側周縁と前記フィルタ取付け部との間に配置される、フィルタ組立体。
【請求項１２】
請求項９に記載のフィルタ組立体において、前記第１の突起部が第１のシールを前記フィルタ取付け部に提供するように構成され、前記第１のシールが前記フランジ部分のシール表面の上方に設置される、フィルタ組立体。
【請求項１３】
請求項１２に記載のフィルタ組立体において、第２の突起部が前記第２の部分上に配置され、前記開口を画定する前記中央部分の前記内側表面上に配置される、フィルタ組立体。
【請求項１４】
請求項１３に記載のフィルタ組立体において、前記第２の突起部が第２のシールを前記フィルタ取付け部に提供するように構成され、前記第２のシールは前記フランジ部分の前記シール表面の下方に設置される、フィルタ組立体。
【請求項１５】
請求項１３に記載のフィルタ組立体において、前記中央部分、前記フランジ部分、前記第１の突起部及び前記第２の突起部が、同じ材料からそれぞれ形成され、前記同じ材料はエラストマ−ゴムである、フィルタ組立体。
【請求項１６】
請求項１３に記載のフィルタ組立体において、前記中央部分、前記フランジ部分、前記第１の突起部及び前記第２の突起部が同じ材料からそれぞれ形成され、前記同じ材料はニトリルゴムである、フィルタ組立体。
【請求項１７】
請求項９に記載のフィルタ組立体において、前記中央部分、前記フランジ部分及び前記第１の突起部が同じ材料からそれぞれ形成され、前記同じ材料はエラストマ−ゴムである、フィルタ組立体。
【請求項１８】
請求項９に記載のフィルタ組立体において、前記中央部分、前記フランジ部分及び前記第１の突起部が同じ材料からそれぞれ形成され、前記同じ材料はニトリルゴムである、フィルタ組立体。
【請求項１９】
ハウジング内で流体をろ過するために構成されるフィルタ要素であって、第１の端部支持部及び第２の端部支持部を有し、前記第１の端部支持部は前記フィルタ要素の上端部分に固定される、フィルタ要素を配置するステップと、
前記ハウジング内に流体のための複数の流体路を提供するために複数の開口部を有するタッピングプレートを据え付けるステップと、
開口を画定する中央部分と、前記中央部分と一体に形成されるフランジ部分であって、前記中央部分の外側周縁から外向きに延出し、第１の方向に前記フランジ部分から離れる方向に前記中央部分の第１の部分が延出し、第２の方向に前記フランジ部分から離れる方向に前記中央部分の第２の部分が延出し、前記第１の方向は前記第２の方向と反対である、フランジ部分とを有するシールグロメットを前記第１の端部支持部と前記タッピングプレートとの間に配置するステップと、
前記開口を画定する前記中央部分の内側表面上に配置された第１の突起部を前記第１の部分上に配置するステップと、
を備える、オイル循環システムのフィルタ取付け部に固定されるように構成されるフィルタ組立体を組み立てるための方法。
【請求項２０】
請求項２０に記載の方法において、前記シールグロメットが前記タッピングプレートと前記第１の端部支持部との間に配置される場合、前記中央部分の前記第１の部分が前記タッピングプレートの内側表面部分と前記フィルタ取付け部の外側表面部分との間に配置され、前記タッピングプレートの前記内側表面部分と前記フィルタ取付け部の前記外側表面部分との間に形成される間隙の少なくとも一部分が前記中央部分の前記第１の部分を受容し、前記シールグロメットが前記タッピングプレートと前記第１の端部支持部との間に配置される場合、前記中央部分の前記第２の部分が前記フィルタ要素の内側周縁と前記フィルタ取付け部との間に配置される、方法。
【発明の詳細な説明】
【技術分野】
【０００１】
本出願は、２００８年１２月１８日に出願された米国仮特許出願第６１／１３８、７０６号の利益を請求するものであり、その内容は本明細書に参考として組み入れられる。
【背景技術】
【０００２】
エンジン潤滑油システム、油圧システム、及び、燃料システムにおいて、循環させる流体から粒子を除去するために、多くのタイプの流体フィルタが使用される。
したがって、フィルタ取付け部をシールし、更に詳細には、スパッド部分が１．２７ｃｍ（１／２インチ）以上である場合、フィルタ取付け部のスパッド部分を確実にシールするように設計されるシールグロメットを提供することが望まれる。
【発明の概要】
【課題を解決するための手段】
【０００３】
１つの例示的実施形態において、流体フィルタのためのシールグロメットが提供される。シールグロメットは、開口を画定する中央部分と、中央部分と一体に形成されるフランジ部分であって、中央部分の外側周縁から外向きに延出し、第１の方向にフランジ部分から離れる方向に中央部分の第１の部分が延出し、第２の方向にフランジ部分から離れる方向に中央部分の第２の部分が延出し、第１の方向は第２の方向と反対である、フランジ部分と、第１の部分上に配置される、開口を画定する中央部分の内側表面上に配置された第１の突起部とを含む。
【０００４】
他の一例示的実施形態において、フィルタ取付け部が延出するオイル循環システムのためのフィルタ組立体が提供される。フィルタ組立体は、ハウジングと、ハウジング内に配置されるフィルタ要素であって、フィルタ要素は流体をろ過するために構成され、第１の端部支持部及び第２の端部支持部を有し、第１の端部支持部はフィルタ要素の上端部分に固定される、フィルタ要素と、流体が通過して流れるための複数の流体路を提供するために複数の開口部を有するタッピングプレートと、開口を画定する中央部分と、中央部分と一体に形成されるフランジ部分であって、中央部分の外側周縁から外向きに延出し、第１の方向にフランジ部分から離れる方向に中央部分の第１の部分が延出し、第２の方向にフランジ部分から離れる方向に中央部分の第２の部分が延出し、第１の方向は第２の方向と反対である、フランジ部分とを含む、タッピングプレートと第１の端部支持部との間に配置されるシールグロメットと、第１の部分上に配置される、開口を画定する中央部分の内側表面上に配置された第１の突起部とを含む。
【０００５】
他の一例示的実施形態において、オイル循環システムのフィルタ取付け部に固定されるように構成されるフィルタ組立体を組み立てるための方法が提供される。方法は、ハウジング内で流体をろ過するために構成され、第１の端部支持部、及び、第２の端部支持部を有し、第１の端部支持部はフィルタ要素の上端部分に固定されるフィルタ要素を配置するステップと、ハウジング内に流体のための複数の流体路を提供するための複数の開口部を有するタッピングプレートを据え付けるステップと、開口を画定する中央部分と、中央部分と一体に形成され、中央部分の外側周縁から外向きに延出するフランジ部分であって、フランジ部分は、中央部分の第１の部分が、第１の方向にフランジ部分から離れる方向に延出し、中央部分の第２の部分が、第２の方向にフランジ部分から離れる方向に延出し、第１の方向は、第２の方向と反対である、フランジ部分とを有するシールグロメットを第１の端部支持部とタッピングプレートとの間に配置するステップと、開口を画定する中央部分の内側表面上に配置された第１の突起部を第１の部分上に配置するステップとを含む。
【図面の簡単な説明】
【０００６】
【図１】本発明の例示的実施形態による、フィルタ組立体の例示的断面図である。
【図２】本発明の例示的実施形態による、フィルタ組立体に固定されるフィルタ取付け部をシールするように設計されたシールグロメットを組み付けたフィルタ組立体の上方部分の例示的分解断面図である。
【発明を実施するための形態】
【０００７】
本発明の例示的実施形態は、フィルタ取付け部をシールし、更に詳細には、スパッド部分が１．２７ｃｍ（１／２インチ）以上である場合、フィルタ取付け部のスパッド部分を確実にシールするように設計されたシールグロメットを目的とする。この独特なグロメットの設計は、短いか又は長いスパッドを有する様々なフィルタ取付け部のためのシールを確実にする。また、本発明の例示的実施形態は、１．２７ｃｍ（１／２インチ）以上であるスパッドをシールするように設計されたシールグロメットを組み付けたフィルタ組立体、及び、その製造又は組立方法を目的とする。
【０００８】
ここで図１を参照すると、本発明の例示的実施形態によるフィルタ装置すなわち組立体１０が示される。フィルタ組立体１０は、１４に部分的に示されるエンジンのフィルタ取付け部１２上に取り付けられるように構成される。具体的には、フィルタ組立体１０は、組立体によって提供される流体ろ過から利益を得る潤滑油システム、油圧システム、燃料システム又は他の流体循環タイプのシステムに作動可能に取り付けられ、それらと通連するようになされる。１つの例示的実施形態において、フィルタ取付け部１２が、高さが１．２７ｃｍ（１／２インチ）であるスパッド部分１５を備える。当然、用途によって、スパッド１５は１．２７ｃｍ（１／２インチ）を超える高さであり得る。フィルタ組立体１０は軸中心１６を有し、フィルタ構成要素は軸中心の両側で鏡像となっている。
【０００９】
１つの例示的実施形態において、フィルタ組立体１０は、フィルタ要素すなわちフィルタ部材２２を囲むハウジング、フレーム又は缶２０を有するフィルタ機構すなわちフィルタ１８を含み、１つの本発明の例示的実施形態により、それは循環する流体（例えば、オイル）から汚れ及び研磨粉等の物質を除去するように構成される。
【００１０】
１つの例示的実施形態において、図示されるように、フィルタ要素２２はハウジング２０内に配置され、それによって支持される。主流体通路２３が、ハウジング２０とフィルタ要素２２との間に画定され、そこをエンジンからの「汚れた」流体が流れて、フィルタ要素２２から濾し出される。１つの非制限的例示的実施形態において、フィルタ要素２２は形状に関して円筒状であり、内側周縁及び外側周縁を含む。当然、楕円、矩形、細長い形状等のような他の形状が考えられる。
【００１１】
１つの例示的実施形態において、フィルタ組立体１０は、フィルタ要素２２の内側周縁内、及び、軸中心１４の周囲に軸方向に位置付けられる円筒状芯部又はスリーブすなわち中央管２４を含み、それによって、中空の軸領域を形成し、その中に副流体通路２６が、それを通って「異物のない」すなわちろ過された流体が流れるために画定される。この例示的実施形態において、円筒状芯部２４は、ろ過された流体が副流体通路２６へ流れるために通る複数の開口３０を含む。円筒状芯部２４の壁に沿って形成される開口３０の数量、直径サイズ及び構成は、必要なフィルタ容量及び用途によって変わり、図１に示される開口３０の例示的数量、サイズ、及び構成に限定されるべきではない。
【００１２】
副流体通路２６は、フィルタ要素２２の上端部分２８及び下端部分３２の直近まで延出する。円筒状芯部２４は、どのような従来設計であってもよく、十分な強度を有し、ろ過される流体に適合するあらゆる材料で作製できる。円筒状芯部２４は、フィルタ要素２２の内側周縁に半径方向への力に対する支持を提供し、また、曲げ力等に対する軸方向の強度及び剛体性をフィルタ要素２２にもたらすのに役立つ。
【００１３】
１つの例示的実施形態において、第１の端部支持部４０（例えば、第１の端部円板）及び第２の端部支持部４２（例えば、第２の端部円板）が、フィルタ要素２２の上端部分２８及び下端部分３０にそれぞれ固定される。１つの非制限的例示的実施形態において、端部支持部は、例えば、溶接、ろう接、ガスケット又はあらゆる他の知られた手段のような固定するためのあらゆる手段によってフィルタ要素２２に固定される。エポキシ、熱接合又はスピン溶接を使用するような他の従来技術が、フィルタ要素２２の部分２８、３０へ端部支持部４０、４２を付着されるために使用できる。
【００１４】
本発明の例示的実施形態によると、フィルタ組立体１０はタッピングプレート５０を含む。タッピングプレート５０は、１つの非制限的実施形態において、エンジンから延出するフィルタ取付け部１２上にフィルタ組立体を据え付け又は取り付けるように構成される。１つの例示的実施形態において、タッピングプレート５０は、タッピングプレート５０と第１の端部支持部４０との間にスペーサを設けられるように設計され、したがって、最小の制限で流体が流れる経路をもたらす。
【００１５】
タッピングプレート５０は、１つの非制限的例示的実施形態において、概ね凹状円形断面形状を有し、１つの例示的実施形態において、鋼、鉄等のような金属材料から作製される。タッピングプレート５０の下端表面部分５２が、第１の端部支持部４０の平坦な表面５４と概ね平行に横たわるように、タッピングプレート５０はハウジング１８内に配置され、そこに固定される。１つの例示的実施形態において、タッピングプレート５０は、複数の開口部すなわち流体入口ポート５６を含む。タッピングプレート５０は、下端表面部分５２に、軸中心１４の周囲に開口６０を画定する中央部分５８を含む。開口部５６は、図示されるように、概ね開口６０の周囲に隣接して間隔を隔てて位置付けられる。開口部５６は、「汚れた」流体がそれを通って主流体通路２３内へ流れ、その結果、ろ過のためにフィルタ要素２２を貫通して流れるための流体路を提供する。１つの非制限的例示的実施形態において、開口部５６は、図１及び２に示されるように、タッピングプレート５０の傾いた壁部分６２に沿って形成される。そのため、開口部５６は第１の端部支持部４０の平坦な表面５４に対して概ね斜めに横たわり、それによって、第１の端部支持部４０と複数の開口部５６との間に、流体がそこを通って最小の制限で流れる空間すなわち間隙６４を形成する。タッピングプレート５０の壁部分６２に沿って形成される開口部５６の数量、直径サイズ及び構成は、必要なフィルタ容量及び用途によって変わってよく、図１から２に示される開口部５６の例示的数量、サイズ、及び構成に限定されてはならないことは理解されるべきである。
【００１６】
１つの例示的実施形態において、タッピングプレート５０は流体出口ポート７０を画定する。流体出口ポート７０は副流体通路２６と流体的に通連している。したがって、流体出口ポート７０は、フィルタ要素２２から濾し出された流体が流体出口ポート７０を通って流れてエンジンへ戻ることを可能にする。結果として、図２で矢印７２によって指示される流体経路は、流体入口ポート５６及び主流体通路２３から、フィルタ要素２２及び軸方向芯部２４の開口３０を通って、流体出口ポート６０へ延在する。
【００１７】
１つの例示的実施形態において、シールグロメット８０が、フィルタ取付け部１２及び流体出口ポート７０のスパッド部分１５をシールするためにタッピングプレート５０と第１の端部支持部４０との間に配置される。シールグロメットは中央部分８２及びフランジ部分８４を含む。１つの例示的実施形態において、シールグロメット８０の中央部分８２は開口８６を画定する円筒である。１つの例示的実施形態によると、フランジ部分８４は中央部分８２と共に一体に形成される。シールグロメットのフランジ部分８４は中央部分８２の外側周縁８８から外向きに延出する。１つの例示的実施形態において、フランジ部分８４はフランジ部分８４の遠位端部８７で外向きに湾曲する。中央部分８２は、（例えば、タッピングプレートに向かう）第１の方向にフランジ部分から離れる方向に延出する第１の部分９０、及び、第１の方向と反対の（例えば、フィルタ要素に向かう）第２の方向にフランジ部分から離れる方向に延出する第２の部分９２を含む。１つの例示的実施形態において、第１の突起部９４が、図示されるように中央部分８２の内側表面に沿って第１の部分９０上に配置される。シールグロメットがタッピングプレート５０とフィルタ取付け部１２との間に配置される場合、第１の突起部９４はスパッド１５に第１のシールを提供する。１つの例示的実施形態において、第２の突起部９６が、図示されるように中央部分８２の内側表面に沿って第２の部分９０上に配置される。シールグロメットがタッピングプレートとフィルタ取付け部１２との間に配置される場合、第２の突起部９６はスパッド１５に第２のシールを提供する。図１及び２においてフランジ部分の各々の部分に単一の突起部のみが例示されるが、本発明の他の例示的実施形態において、２つ以上の突起部が第１の部分及び／又は第２の部分上に配置できる。１つの例示的実施形態によると、第１の突起部９４及び／又は第２の突起部９６は中央部分８２と共に一体に形成される。
【００１８】
１つの例示的実施形態において、第２の突起部９６は、シールグロメット８０のシール表面９８の上方に設置される主シールである。１つの例示的実施形態によると、第１の突起部９４は、シールグロメット８０のスケーリング表面９８の上方に設置される副シール又は予備シールである。そのため、第２の突起部９６は、スパッド１５とタッピングプレート５０との間のシールを強化するように構成される。このグロメットの設計は、長さが１．２７ｃｍ（１／２インチ）以上であるスパッドを確実にシールする。
【００１９】
１つの例示的実施形態によると、グロメット８０の中央部分８２、フランジ部分８４、第１の突起部９４及び／又は第２の突起部９６は、同じ材料からそれぞれ形成され、１つの非制限的例示的実施形態によると、材料はエラストマ−ゴムである。他の実施形態において、使用される材料はニトリルゴムである。当然、本発明の他の例示的実施形態において、グロメット８０及びその同等物を形成するための他の適切な材料が使用でき、本明細書に説明される例に限定されてはならない。
【００２０】
例示されるように、中央部分８２の第１の部分９０は、グロメット８０が、タッピングプレート５０と第１の端部支持部４０との間に配置される場合、タッピングプレート５０の中央部分５８の内側表面とスパッド１５の外側表面との間に配置される。タッピングプレートの中央部分５８とスパッド１５の外側表面との間に形成される間隙又は開口部１００の少なくとも一部分は、シールグロメット８０の第１の部分９０を受容する。そのため、中央部分８２の第１の部分９０が、開口部１００によって受容されることで、開口部内の空間は減少する。シールグロメットがタッピングプレート５０と第１の端部支持部４０との間に配置される場合、第２の部分９２は、図示されるように、フィルタ要素２２の内側周縁とスパッド１５との間に配置される。シールグロメット８０が、タッピングプレート５０と第１の端部支持部４０との間に配置される場合、第１の突起部９４及び第２の突起部９６はスパッド１５の外側周縁に押し当たるように構成され、スパッド１５にシールを提供し、それはまた流体出口ポート７０をシールする。
【００２１】
１つの例示的実施形態によると、グロメット８０は、図示されるように、タッピングプレート５０を受容するためにフランジ部分８４の遠位端部８７と中央部分８２の第１の部分９０との間に窪み１０２を画定する。他の一例示的実施形態において、タッピングプレート５０は、タッピングプレート５０の下端表面部分５２がフランジ部分８４の周縁表面に押し当たるように、フランジ部分８４の周縁表面の上部面上に配置される。そのため、中央部分８２の第１の部分９０がタッピングプレート５０の中央部分５８とスパッド１５の外側表面との間に挿入され、グロメット８０の第２の部分９２がフィルタ要素２２の内側周縁とスパッド１５の外側表面との間に挿入される場合、第１のシール及び第２のシールはそれぞれ形成される。上記の配設は、「汚れた」流体が副流体通路２６を通過して流れることを防止する。「汚れた」流体は、むしろ、ろ過のために主流体通路２３へ押し出されるか、又は、送られる。次いで、ろ過された流体は、上記のようにフィルタ要素２２及び軸方向芯部２４の開口３０を通って副流体通路２６内へ流れ、流体出口ポート７０から流れ出る。
【００２２】
１つの例示的実施形態によると、タッピングプレート５０は、フィルタ取付け部１２のねじ切りされた壁部分１１２と対応して係合又は連結するためにねじ切りされた部分１１０を含む。１つの非制限的例示的実施形態において、ねじ切りされた部分１１０は、Ｍ５９（メートル法）雌ねじを有する。当然、様々なサイズのねじがタッピングプレート５０のねじ切りされた部分１１０上に形成できる。タッピングプレート５０のねじ切りされた部分１１０はフィルタ取付け部１２にフィルタ組立体１０を固定する。すなわち、タッピングプレート５０のねじ切りされた部分１１０は、タッピングプレート５０のねじ切りされた部分１１０が、図示されるようにフィルタ取付け部１２のねじ切りされた壁部分１１２と係合するように、フィルタ取付け部１２上にタッピングプレート５０を回転することによって、エンジンから延出するフィルタ取付け部１２のフィルタ先頭部にフィルタ組立体１０のタッピングプレート９０を取り付けるために使用される。
【００２３】
例示されるように、タッピングプレート５０は、タッピングプレート５０の周縁の周囲にタッピングプレート５０の上端部１２２の直近まで延出するタッピング縁部１２０を画定する。１つの例示的実施形態において、図示されるように、タッピングプレート５０の上端部１２２へタッピング縁部１２０から延出する上向きの突起部を形成するようにタッピングプレート５０と一体に延長部材１２４が形成される。タッピング縁部１２０の内側周縁表面は肩部１２６を画定する。ハウジング２０にタッピングプレート５０を固定するために、接触造作部１２８がハウジング２０の一方の端部に設置され、タッピングプレート５０の延長部材１２４の周縁を覆って、実質的にその周囲に曲げられる。ハウジング２０の接触造作部１２８は、隙間１３０がハウジング２０とタッピングプレート５０との間に肩部１２６の直近に形成されるように、タッピングプレート５０の延長部材１２４を覆って曲げられ、したがって、軸方向の全荷重がハウジング２０を通して伝搬する。ハウジング２０の接触造作部１２８をタッピングプレート５０の延長部材１２４を覆って曲げることによって、タッピングプレート５０とグロメット８０との間に締まりばめが提供される。また、このような工程によって、グロメット８０と第１の端部支持部４０との間の締まりばめが可能になる。タッピングプレート５０の延長部材１２４を覆ってハウジング２０の接触造作部１２８を曲げる工程は、Ｊ字状締め（Ｊ−Ｓｅａｍ）工程又は巻き（ｒｏｌｌｉｎｇ）工程と呼ばれることがある。
【００２４】
１つの例示的実施形態において、ばね機構（図示されず）を有する保持器１４０がハウジング２０内でフィルタ要素２２の下端部分３２に隣接して設置される。保持器１４０はハウジング２０内にフィルタ要素２２を固定する。１つの例示的実施形態において、保持器１４０は、例えば、セラミックペースト、溶接、ろう接、ガスケット又はあらゆる他の知られた手段のような固定するためのあらゆる手段によってハウジングに固定できる。１つの例示的実施形態において、保持器１４０は、図１に対して上方向にフィルタ要素２２を付勢するために設けられる。１つの例示的実施形態において、第２の端部支持部４２は保持器１４０に押し当てられ、そこに締まりばめが提供される。代替的例示的実施形態において、保持器１４０は、例えば、セラミックペースト、溶接、ろう接、ガスケット又はあらゆる他の知られた手段のような固定するためのあらゆる手段によって、第２の端部支持部４２に固定される。
【００２５】
１つの例示的実施形態において、ノッチ部分１４６を備えた縁部１４４を有するガスケット１４２が、１つの例示的実施形態により、タッピングプレート５０の上方に配置される。１つの例示的実施形態において、ガスケット１４２は、フィルタ組立体とフィルタ取付け部との間のシールを提供するために使用できる。１つの非制限的例示的実施形態において、縁部１４４は、図示されるように、概ね凹状外郭を有する。ガスケット１４２は、ガスケット１４２の縁部１４４が、タッピングプレート５０の延長部材１２４を覆って曲げられるハウジング２０の接触造作部１２８の部分に押し当たり、一方で、ガスケット１４２のノッチ部分１４６が、ハウジング２０とタッピングプレート５０との間に画定される隙間１３０によって受容されるように、タッピングプレート５０上方に配置される。この配設によって、ガスケット１４２はハウジング２０とタッピングプレート５０との間に固定される。
【００２６】
本発明の例示的実施形態によると、本発明の１つの例示的実施形態によるＪ字状締め工程又は巻き工程を使用するフィルタ組立体１０を組み立てる例示的方法が提供される。例示的方法は、第２の端部支持部４２が、ハウジング２０に固定される保持器１４０に押し当たるように、ハウジング２０内でそれぞれフィルタ要素の上端部分２８及び下端部分３０に固定される第１の端部支持部４０及び第２の端部支持部４２を有するフィルタ要素２２を配置するステップを概ね含む。適宜、第２の端部支持部４２は、溶接のような固定するためのあらゆる知られた方法によって保持器１４０に固定できる。次いで、方法は、図２に例示されるように、中央部分８２の第１の部分９０が、タッピングプレートの中央部分５８とスパッド１５の外側表面との間に挿入され、中央部分８２の第２の部分９２が、フィルタ要素２２の内側周縁とスパッド１５の外側表面との間に挿入されるように、タッピングプレート５０と第１の端部支持部４０との間にシールグロメット８０を配置するステップを含む。そのようにすることで、第２の突起部９６及び第１の突起部９４はスパッド１５の外側周縁に押し当たり、スパッド１５及び流体出口ポート７０に主シール及び副シールをそれぞれ提供する。タッピングプレート５０は、シールグロメット８０の上部面上に配置されるか、又は、図２に例示されるように、グロメット８０によって形成される窪み１０２によって受容され、締まりばめが、タッピングプレート５０とシールグロメット８０との間に提供される。
【００２７】
方法はまた、タッピングプレート５０の延長部材１２４を覆ってハウジング２０の接触造作部１２８を曲げるステップを含み、したがって、軸方向の全荷重がハウジング２０を通して伝搬する。次いで、方法は、図示されるように、ガスケット１４２の縁部１４４が、タッピングプレート５０の延長部材１２４を覆って曲げられるハウジング２０の接触造作部１２８の部分に押し当たり、一方、ガスケット１４２のノッチ部分１４６が、ハウジング２０とタッピングプレート５０との間に画定される隙間１３０によって受容されるように、タッピングプレート５０上方にガスケット１４２を配置するステップを含み、したがって、ハウジング２０とタッピングプレート５０との間にガスケット１４２を肩部１２６の直近に固定する。次に、方法は、タッピングプレート５０のねじ切りされた部分１１０が、フィルタ取付け部１２のねじ切りされた壁部分１１２と対応して連結又は係合するように、エンジン又は油圧システムから延出するフィルタ取付け部１２上にタッピングプレート５０を回転させるステップを含む。
【００２８】
１つの例示的実施形態において、フィルタ１８は、過酷使用対応のオイルフィルタである。当然、１．２７ｃｍ（１／２インチ）以上の範囲の高さを有する様々なスパッドサイズのために確実にシールするように設計されるシールグロメット８０の例示的実施形態と連結させて、他の様々なタイプのフィルタが使用できる。
【００２９】
本発明は、例示的実施形態を参照して説明されたが、本発明の範囲から逸脱することなく、様々な変更が実施できること、及び、均等物がその要素を代用できることを当業者は理解するだろう。更に、本発明の基本的な範囲から逸脱することなく、特定の状態又は材料に適応させるために、本発明の教示に多くの改良が実施できる。したがって、本発明は、本発明を実行するために思考された最良の形態として開示された特定の実施形態に限定されないが、本発明は、添付の請求項の範囲内に収まるすべての実施形態及びそれらの法的均等物を含むこととなる。
【図１】
2012512744.tif 000003
【図２】
2012512744.tif 000004
【手続補正書】
【提出日】平成23年8月18日(2011.8.18)
【手続補正１】
【補正対象書類名】特許請求の範囲
【補正対象項目名】全文
【補正方法】変更
【補正の内容】
【特許請求の範囲】
【請求項１】
流体フィルタのためのシールグロメットであって、
開口を画定する中央部分と、
前記中央部分と一体に形成されるフランジ部分であって、前記中央部分の外側周縁から外向きに延出し、第１の方向に前記フランジ部分から離れる方向に前記中央部分の第１の部分が延出し、第２の方向に前記フランジ部分から離れる方向に前記中央部分の第２の部分が延出し、前記第１の方向は前記第２の方向と反対である、フランジ部分と、
前記第１の部分上に配置される第１の突起部であって、前記開口を画定する前記中央部分の内側表面上に配置された前記第１の突起部と
を備える流体フィルタのためのシールグロメット。
【請求項２】
請求項１に記載のシールグロメットにおいて、前記中央部分、前記フランジ部分及び前記第１の突起部が同じ材料からそれぞれ形成され、前記同じ材料はエラストマ−ゴム又はニトリルゴムである、シールグロメット。
【請求項３】
請求項１に記載のシールグロメットにおいて、
前記第２の部分上に配置された第２の突起部であって、前記開口を画定する前記中央部分の前記内側表面上に配置される前記第２の突起部を更に備え、
前記中央部分、前記フランジ部分、前記第１の突起部及び前記第２の突起部が同じ材料からそれぞれ形成され、前記同じ材料はエラストマ−ゴム又はニトリルゴムである、シールグロメット。
【請求項４】
請求項１に記載のシールグロメットにおいて、前記フランジ部分が前記フランジ部分の遠位端部で外向きに湾曲し、前記中央部分が円筒である、シールグロメット。
【請求項５】
フィルタ取付け部が延出する前記オイル循環システムのためのフィルタ組立体であって、
ハウジングと、
前記ハウジング内に配置されるフィルタ要素であって、前記フィルタ要素は流体をろ過するために構成され、第１の端部支持部及び第２の端部支持部を有し、前記第１の端部支持部は前記フィルタ要素の上端部分に固定される、フィルタ要素と、
流体が通過して流れるための複数の流体路を提供するために複数の開口部を有するタッピングプレートと、
前記タッピングプレートと前記第１の端部支持部との間に配置されるシールグロメットであって、開口を画定する中央部分と、前記中央部分と一体に形成されるフランジ部分とを含み、前記フランジ部分は、前記中央部分の外側周縁から外向きに延出し、前記中央部分の第１の部分が第１の方向に前記フランジ部分から離れる方向に延出し、前記中央部分の第２の部分が第２の方向に前記フランジ部分から離れる方向に延出し、前記第１の方向は前記第２の方向と反対である、前記シールグロメットと、
前記第１の部分上に配置される第１の突起部であって、前記開口を画定する前記中央部分の内側表面上に配置された第１の突起部と
を備える、フィルタ組立体。
【請求項６】
請求項５に記載のフィルタ組立体において、前記シールグロメットが前記タッピングプレートと前記第１の端部支持部との間に配置される場合、前記中央部分の前記第１の部分が前記タッピングプレートの内側表面部分と前記フィルタ取付け部の外側表面部分との間に配置され、前記タッピングプレートの前記内側表面部分と前記フィルタ取付け部の前記外側表面部分との間に形成される間隙の少なくとも一部分が前記中央部分の前記第１の部分を受容する、フィルタ組立体。
【請求項７】
請求項５に記載のフィルタ組立体において、前記シールグロメットが前記タッピングプレートと前記第１の端部支持部との間に配置される場合、前記中央部分の前記第２の部分が前記フィルタ要素の内側周縁と前記フィルタ取付け部との間に配置される、フィルタ組立体。
【請求項８】
請求項５に記載のフィルタ組立体において、前記第１の突起部が第１のシールを前記フィルタ取付け部に提供するように構成され、前記第１のシールが前記フランジ部分のシール表面の上方に設置され、
第２の突起部が前記第２の部分上に配置され、前記開口を画定する前記中央部分の前記内側表面上に配置され、
前記第２の突起部が第２のシールを前記フィルタ取付け部に提供するように構成され、前記第２のシールは前記フランジ部分の前記シール表面の下方に設置される、フィルタ組立体。
【請求項９】
請求項８に記載のフィルタ組立体において、前記中央部分、前記フランジ部分、前記第１の突起部及び前記第２の突起部が、同じ材料からそれぞれ形成され、前記同じ材料はエラストマ−ゴム又はニトリルゴムである、フィルタ組立体。
【請求項１０】
オイル循環システムのフィルタ取付け部に固定されるように構成されるフィルタ組立体を組み立てるための方法において、
ハウジング内で流体をろ過するために構成されるフィルタ要素であって、第１の端部支持部及び第２の端部支持部を有し、前記第１の端部支持部は前記フィルタ要素の上端部分に固定される、フィルタ要素を配置するステップと、
前記ハウジング内に流体のための複数の流体路を提供するために複数の開口部を有するタッピングプレートを据え付けるステップと、
シールグロメットを前記第１の端部支持部と前記タッピングプレートとの間に配置するステップであって、前記シールグロメットは、開口を画定する中央部分と、前記中央部分と一体に形成されるフランジ部分を含み、前記フランジ部分は、前記中央部分の外側周縁から外向きに延出し、前記中央部分の第１の部分が第１の方向に前記フランジ部分から離れる方向に延出し、前記中央部分の第２の部分が第２の方向に前記フランジ部分から離れる方向に延出し、前記第１の方向は前記第２の方向と反対である、前記ステップと、
第１の突起部を前記第１の部分上に配置するステップであって、前記第１の部分を前記開口を画定する前記中央部分の内側表面上に配置するステップと、
を含み、
前記シールグロメットが前記タッピングプレートと前記第１の端部支持部との間に配置される場合、前記中央部分の前記第１の部分が前記タッピングプレートの内側表面部分と前記フィルタ取付け部の外側表面部分との間に配置され、前記タッピングプレートの前記内側表面部分と前記フィルタ取付け部の前記外側表面部分との間に形成される間隙の少なくとも一部分が前記中央部分の前記第１の部分を受容し、前記シールグロメットが前記タッピングプレートと前記第１の端部支持部との間に配置される場合、前記中央部分の前記第２の部分が前記フィルタ要素の内側周縁と前記フィルタ取付け部との間に配置される、方法。
【国際調査報告】
2012512744.tif 000005
2012512744.tif 000006